(57)【要約】      （修正有）【課題】木製家具加工ワークショップの粉塵浄化装置を提供する。【解決手段】装置ベース１を含み、装置ベースの頂部に支持柱２が固定的に取付けられ、支持柱の外部に集塵筒３が設けられ、集塵筒内部に給料板が設置され、電動プッシュロッド５が給料板の内環形板４０３に固定接続されることにより、電動プッシュロッドは給料板を支持柱に沿って上下に移動させるよう制御でき、また、給料板の外環形板と集塵筒壁面がぴったり接触するうえに、接触部分が弾性ゴム材質とされることにより、給料板の上下移動につれて集塵筒内壁上の粉塵を剃り抜き、集塵筒内壁に付着した粉塵を充分に除去できる。筒体内部にＴ形案内条片３０２を設け、給料板外環形板における対応位置にＴ形案内溝４０４を設け、そして支持柱の表面と給料板内環形板の間に潤滑油を塗布することにより、Ｔ形案内溝の寸法とＴ形案内条片の寸法が合致するようにできる。【選択図】図１
0003224360.tif 000002
【実用新案登録請求の範囲】
【請求項１】
木製家具加工ワークショップの粉塵浄化装置であって、装置ベース（１）を含み、前記
装置ベース（１）の頂部に支持柱（２）が固定的に取付けられており、前記支持柱（２）
の外部に集塵筒（３）が設けられており、前記集塵筒（３）が装置ベース（１）に固定的
に取付けられており、前記集塵筒（３）は筒体（３０１）、Ｔ形案内条片（３０２）およ
び取付板（３０３）を含み、前記筒体（３０１）の内壁に鉛直下向きのＴ形案内条片（３
０２）が固定的に設けられており、前記Ｔ形案内条片（３０２）は数が３本であり、前記
筒体（３０１）の底部に取付板（３０３）が固定的に接続されており、前記筒体（３０１
）の内部に給料板（４）が設けられており、前記給料板（４）は外環形板（４０１）、接
続ロッド（４０２）、内環形板（４０３）およびＴ形案内溝（４０４）を含み、前記外環
形板（４０１）の内壁に接続ロッド（４０２）が固定的に形成されており、前記接続ロッ
ド（４０２）は数が３本であり且つ均一に配布されており、各２本の前記接続ロッドの間
は１２０度の角度を成しており、３本の前記接続ロッド（４０２）における外環形板（４
０１）と反対側に内環形板（４０３）が固定的に接続されており、前記外環形板（４０１
）における接続ロッド（４０２）との接続外縁部にＴ形案内溝（４０４）が開設されてお
り、前記Ｔ形案内溝（４０４）の寸法とＴ形案内条片（３０２）の寸法とが合致しており
、前記支持柱（２）の頂部に電動プッシュロッド（５）が固定的に形成されており、前記
電動プッシュロッド（５）の外部にハウジング（８）が固定的に取付けられており、前記
電動プッシュロッド（５）の輸出端と内環形板（４０３）とが固定的に接続されており、
前記電動プッシュロッド（５）により給料板（４）を支持柱（２）に沿って上下に移動さ
せるよう構成されていることを特徴とする木製家具加工ワークショップの粉塵浄化装置。
【請求項２】
前記装置ベース（１）の底部にユニバーサルホイール（７）が固定的に取付けられてお
り、前記ユニバーサルホイール（７）の数は４個であることを特徴とする請求項１に記載
の木製家具加工ワークショップの粉塵浄化装置。
【請求項３】
前記集塵筒（３）の頂部に粉塵收集手段（６）が固定的に取付けられており、前記粉塵
收集手段（６）は外部ケース（６０１）を含み、外部ケース（６０１）の内部に順次に予
濾過器（６０２）、離子産生器（６０３）、集塵器（６０４）、第二の濾過板（６０５）
およびバキュームファン（６０６）が設けられていることを特徴とする請求項１に記載の
木製家具加工ワークショップの粉塵浄化装置。
【請求項４】
前記取付板（３０３）の内部に取付穴が開設されており、前記取付穴の内部に固定ボル
トが設けられており、前記集塵筒（３）は該取付穴と固定ボルトにより前記装置ベース（
１）に固定的に接続されていることを特徴とする請求項１に記載の木製家具加工ワークシ
ョップの粉塵浄化装置。
【請求項５】
前記支持柱（２）の外径は内環形板（４０３）の内径に該当することを特徴とする請求
項１に記載の木製家具加工ワークショップの粉塵浄化装置。
【請求項６】
前記支持柱（２）の表面と内環形板（４０３）の間に潤滑油が塗布されていることを特
徴とする請求項１に記載の木製家具加工ワークショップの粉塵浄化装置。
【請求項７】
前記外環形板（４０１）における集塵筒（３）の内壁との接触部は弾性ゴム材質である
ことを特徴とする請求項１に記載の木製家具加工ワークショップの粉塵浄化装置。
【考案の詳細な説明】
【技術の分野】
【０００１】
本実用新案は粉塵処理の技術分野に関し、具体的に木製家具加工ワークショップの粉塵
浄化装置に関する。
【従来の技術】
【０００２】
ワークショップ除塵は、相応のの除塵デバイスを利用してワークショップの環境問題を
効果的に解決し、ワークショップの労働者に快適な環境を与え、仕事の効率を向上させる
ことを目的とする。除塵デバイスとは、粉塵を気流から分離させるデバイスを意味し、集
塵器とも言う。
【０００３】
ところで、木製家具加工ワークショップの生産過程では、大量の粉塵や鋸粉が発生する
。また、ワークショップの空気環境が比較的に湿っぽい。特に、板材切断加工では、粉塵
と鋸粉がより多く生じられる。現場環境と作業員の健康に厳しい影響を与えている。益々
多くの工場では集塵装置を備え付けてきている。濾過と電気除塵を結合する方式で環境中
のほこり含有空気を吸い込んで浄化して、ひいてはほこりを集塵筒内の浄化装置に集める
という手法は一般的に応用される。しかしながら、このような除塵装置はやっぱり下記の
欠陥が存在する。空気が湿っぽかったり、粉塵が粘着性を持ったりするなどで、吸い込ん
だ粉塵は集塵筒の内壁面に付着しやすく、スラギングや垢などが生じることもある。集塵
筒の内壁面にしっかりと付けた粉塵を清潔することは難しい。徹底的に清潔することが不
可能である。集塵筒の内壁面にしっかりと付けた粉塵がある程度まで積み重なると、浄化
装置の使用効果が悪くなる。そのため、集塵筒の内壁面に付着した粉塵を簡単かつ効果的
に除去可能な構造の開発が要望されている。
【考案の概要】
【考案が解決しようとする課題】
【０００４】
上記従来の技術に提出した課題を解決するために、本実用新案は木製家具加工ワークシ
ョップの粉塵浄化装置を提供することにより、上記従来の技術に提出した課題を解決する
。
【課題を解決するための手段】
【０００５】
上記の目的を達成するために、本実用新案は木製家具加工ワークショップの粉塵浄化装
置を提出している。本木製家具加工ワークショップの粉塵浄化装置は、装置ベースを含み
、前記装置ベースの頂部に支持柱が固定的に取付けられており、前記支持柱の外部に集塵
筒が設けられており、前記集塵筒が装置ベースに固定的に取付けられており、前記集塵筒
は筒体、Ｔ形案内条片および取付板を含み、前記筒体の内壁に鉛直下向きのＴ形案内条片
が固定的に設けられており、前記Ｔ形案内条片は数が３本であり、前記筒体の底部に取付
板が固定的に接続されており、前記筒体の内部に給料板が設けられており、前記給料板は
外環形板、接続ロッド、内環形板およびＴ形案内溝を含み、前記外環形板の内壁に接続ロ
ッドが固定的に形成されており、前記接続ロッドは数が３本であり且つ均一に配布されて
おり、各２本の前記接続ロッドの間は１２０度の角度を成しており、３本の前記接続ロッ
ドにおける外環形板と反対側に内環形板が固定的に接続されており、前記外環形板におけ
る接続ロッドとの接続外縁部にＴ形案内溝が開設されており、前記Ｔ形案内溝の寸法とＴ
形案内条片の寸法とが合致しており、前記支持柱の頂部に電動プッシュロッド５が固定的
に形成されており、前記電動プッシュロッドの外部にハウジングが固定的に取付けられて
おり、前記電動プッシュロッドの輸出端と内環形板とが固定的に接続されており、前記電
動プッシュロッドにより給料板を支持柱に沿って上下に移動させるよう構成されている。
【０００６】
選択的に、前記装置ベースの底部にユニバーサルホイールが固定的に取付けられており
、前記ユニバーサルホイールの数は４個である。
選択的に、前記集塵筒の頂部に粉塵收集手段が固定的に取付けられており、前記粉塵收
集手段は外部ケースを含み、外部ケースの内部に順次に予濾過器、離子産生器、集塵器、
第二の濾過板およびバキュームファンが設けられている。
選択的に、前記取付板の内部に取付穴が開設されており、前記取付穴の内部に固定ボル
トが設けられており、前記集塵筒は該取付穴と固定ボルトにより前記装置ベースに固定的
に接続されている。
選択的に、前記支持柱の外径は内環形板の内径に該当する。
選択的に、前記支持柱の表面と内環形板の間に潤滑油が塗布されている。
選択的に、前記外環形板における集塵筒の内壁との接触部は弾性ゴム材質である。
【０００７】
本実用新案は以下の技術を提出している。すなわち、木製家具加工ワークショップの粉
塵浄化装置の有利な効果は下記の通りである。
１）  該木製家具加工ワークショップの粉塵浄化装置において、集塵筒内部に給料板が
設けられ、かつ電動プッシュロッドが給料板の内環形板に固定接続されることにより、電
動プッシュロッドは給料板を支持柱に沿って上下に移動させるよう制御でき、また、給料
板の外環形板と集塵筒壁面がぴったり接触するうえに、接触部分が弾性ゴム材質とされる
ことにより、給料板の上下移動につれて集塵筒内壁上の粉塵を剃り抜き、集塵筒内壁に付
着した粉塵を充分に除去できる。
【０００８】
２）  該木製家具加工ワークショップの粉塵浄化装置において、筒体内部にＴ形案内条
片を設け、給料板外環形板における対応位置にＴ形案内溝を設け、そして支持柱の表面と
給料板内環形板の間に潤滑油を塗布することにより、Ｔ形案内溝の寸法とＴ形案内条片の
寸法が合致するようにでき、上下移動しながらほこりを清潔する過程では給料板に良好な
機会安定性を保持できるようにさせる。
【図面の簡単な説明】
【０００９】
【図１】本実用新案における断面構成模式図。
【図２】本実用新案における外部からみる構成模式図。
【図３】本実用新案における入料筒と給料板の接続構成模式図。
【図４】本実用新案における給料板の構成模式図
【考案を実施するための形態】
【００１０】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。本実用新案の実施例に基
づいて、本分野の当業者によって創造的な労働を費やさず得られる全ての実施例は、本実
用新案に保護を求める範囲に含まれる。
【００１１】
木製家具加工ワークショップの粉塵浄化装置であって、装置ベース１を含み、前記装置
ベース１の頂部に支持柱２が固定的に取付けられており、前記支持柱２の外部に集塵筒３
が設けられており、前記集塵筒３が装置ベース１に固定的に取付けられており、前記集塵
筒３は筒体３０１、Ｔ形案内条片３０２および取付板３０３を含み、前記筒体３０１の内
壁に鉛直下向きのＴ形案内条片３０２が固定的に設けられており、前記Ｔ形案内条片３０
２は数が３本であり、前記筒体３０１の底部に取付板３０３が固定的に接続されており、
前記筒体３０１の内部に給料板４が設けられており、前記給料板４は外環形板４０１、接
続ロッド４０２、内環形板４０３およびＴ形案内溝４０４を含み、前記外環形板４０１の
内壁に接続ロッド４０２が固定的に形成されており、前記接続ロッド４０２は数が３本で
あり且つ均一に配布されており、各２本の前記接続ロッドの間は１２０度の角度を成して
おり、３本の前記接続ロッド４０２における外環形板４０１と反対側に内環形板４０３が
固定的に接続されており、前記外環形板４０１における接続ロッド４０２との接続外縁部
にＴ形案内溝４０４が開設されており、前記Ｔ形案内溝４０４の寸法とＴ形案内条片３０
２の寸法とが合致している。前記支持柱２の頂部に電動プッシュロッド５が固定的に形成
されており、前記電動プッシュロッド５の外部にハウジング８が固定的に取付けられてお
り、前記電動プッシュロッド５の輸出端と内環形板４０３とが固定的に接続されており、
前記電動プッシュロッド５により給料板４を支持柱２に沿って上下に移動させるよう構成
されている。前記装置ベース１の底部にユニバーサルホイール７が固定的に取付けられて
おり、前記ユニバーサルホイール７の数は４個である。前記集塵筒３の頂部に粉塵收集手
段６が固定的に取付けられており、前記粉塵收集手段６は外部ケース６０１を含み、外部
ケース６０１の内部に順次に予濾過器６０２、離子産生器６０３、集塵器６０４、第二の
濾過板６０５およびバキュームファン６０６が設けられている。前記取付板３０３の内部
に取付穴が開設されており、前記取付穴の内部に固定ボルトが設けられており、前記集塵
筒３は該取付穴と固定ボルトにより前記装置ベース１に固定的に接続されている。前記支
持柱２の外径は内環形板４０３の内径に該当する。前記支持柱２の表面と内環形板４０３
の間に潤滑油が塗布されている。前記外環形板４０１における集塵筒３の内壁との接触部
は弾性ゴム材質である。
【００１２】
本実用新案の動作原理及び使用手順は以下の如くである。電源を起動し、塵含有気流が
バキュームファン６０６にて本装置の粉塵收集手段６に入って、離子産生器６０３と集塵
器６０４にて粉塵が脱離され、最後に粉塵收集手段６の下方にある集塵筒３内に落ちる。
空気が湿っぽかったり、粉塵が粘着性を持ったりなどで、吸い込んだ粉塵は集塵筒３の内
壁面に付着しやすく、スラギングや垢などが生じることもある。集塵筒３の内壁面にしっ
かりと付けた粉塵を清潔することは難しい。これに対して、本実用新案は、電動プッシュ
ロッド５の昇降をコントロールすることにより、給料板４を支持柱２に沿って上下移動さ
せるようコントロールする。給料板４の外環形板４０１と集塵筒３壁面がぴったり接触す
るうえに、接触部分が弾性ゴム材質とされることにより、給料板４の上下移動につれて集
塵筒３内壁上の粉塵を剃り抜き、集塵筒３内壁に付着した粉塵を充分に除去できる。筒体
内部にＴ形案内条片３０２を設け、給料板外環形板４０１における対応位置にＴ形案内溝
４０４を設け、そして支持柱２の表面と給料板内環形板４０３の間に潤滑油を塗布するこ
とにより、動作過程では、Ｔ形案内溝４０４の寸法とＴ形案内条片３０２の寸法が合致す
るようにでき、上下移動しながらほこりを清潔する過程では給料板４に良好な機会安定性
を保持できるようにさせる。
【００１３】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００１４】
１  装置ベース
２  支持柱
３  集塵筒
３０１  筒体
３０２  Ｔ形案内条片
３０３  取付板
４  給料板
４０１  外環形板
４０２  接続ロッド
４０３  内環形板
４０４  Ｔ形案内溝
５  電動プッシュロッド
６  粉塵收集手段
６０１  外部ケース
６０２  予濾過器
６０３  離子産生器
６０４  集塵器
６０５  第二の濾過板
６０６  バキュームファン
７  ユニバーサルホイール
８  ハウジング
【図１】
0003224360.tif 000003
【図２】
0003224360.tif 000004
【図３】
0003224360.tif 000005
【図４】
0003224360.tif 000006